(57)【要約】      （修正有）【課題】ＲＧＢ及びＹＭＣの６色構成のフィルタを使用することにより、色再現性を向上させることが可能なカラー画像表示装置を提供する。【解決手段】カラー画像表示装置１０は、１画素を構成する領域が、各々赤、緑、青、イエロ、マゼンタ及びシアンフィルタ領域から成るカラーフィルタを有する液晶表示部１８と、外部から入力されるＲＧＢ信号に基づいて、赤信号、緑信号、青信号、イエロー信号、マゼンタ信号及びシアン信号を含む６色信号を生成する色演算部１２と、液晶表示部１８と、６色信号に基づいて液晶表示部１８の各色のフィルタ領域の表示を制御し、ＲＧＢ信号に対応する画像を液晶表示部１８上に表示する制御部を含むドライバ１６とから成る液晶表示パネル１４を備える。【選択図】図４
2008181130.tif 000002
【特許請求の範囲】
【請求項１】
１画素を構成する領域が、赤フィルタ領域、緑フィルタ領域、青フィルタ領域、イエローフィルタ領域、マゼンタフィルタ領域及びシアンフィルタ領域を有することを特徴とするカラーフィルタ。
【請求項２】
前記赤フィルタ領域と前記シアンフィルタ領域とは相互に隣接し、かつ、一方向に並んで配置され、
前記緑フィルタ領域と前記マゼンタ領域とは相互に隣接し、かつ、前記一方向に並んで配置され、
前記青フィルタ領域と前記イエロー領域とは相互に隣接し、かつ、前記一方向に並んで配置されていることを特徴とする請求項１に記載のカラーフィルタ。
【請求項３】
前記赤フィルタ領域、前記緑フィルタ領域及び前記青フィルタ領域は前記一方向に垂直な方向に一列に配置されてＲＧＢフィルタ領域を構成し、
前記イエローフィルタ領域、前記マゼンタフィルタ領域及び前記シアンフィルタ領域は前記一方向に垂直な方向に一列に配置されてＹＭＣフィルタ領域を構成し、
前記ＲＧＢフィルタ領域と前記ＹＭＣフィルタ領域とが隣接して配置されていることを特徴とする請求項２に記載のカラーフィルタ。
【請求項４】
１画素を構成する領域が、赤フィルタ領域、緑フィルタ領域、青フィルタ領域、イエローフィルタ領域、マゼンタフィルタ領域及びシアンフィルタ領域を有するカラーフィルタを備える表示パネルと、
外部から入力されるＲＧＢ信号に基づいて、赤信号、緑信号、青信号、イエロー信号、マゼンタ信号及びシアン信号を含む６色信号を生成する色演算部と、
前記６色信号に基づいて、前記表示パネルの各色のフィルタ領域の表示を制御し、前記ＲＧＢ信号に対応する画像を前記表示パネル上に表示する制御部と、を備えることを特徴とするカラー画像表示装置。
【請求項５】
前記色演算部は、
前記ＲＧＢ信号に含まれるＲ信号及びＧ信号の論理積演算により前記イエロー信号を生成する手段と、
前記ＲＧＢ信号に含まれるＲ信号及びＢ信号の論理積演算により前記マゼンタ信号を生成する手段と、
前記ＲＧＢ信号に含まれるＧ信号及びＢ信号の論理積演算により前記シアン信号を生成する手段と、
を備えることを特徴とする請求項４に記載のカラー画像表示装置。
【請求項６】
前記色演算部は、前記ＲＧＢ信号に含まれるＲ信号、Ｇ信号及びＢ信号を、それぞれ前記６色信号中の赤信号、緑信号及び青信号として出力することを特徴とする請求項５に記載のカラー画像表示装置。
【請求項７】
前記色演算部は、
前記イエロー信号と前記マゼンタ信号の和を、前記Ｒ信号から所定の割合で減算して前記赤信号を生成する手段と、
前記イエロー信号と前記シアン信号の和を、前記Ｇ信号から所定の割合で減算して前記緑信号を生成する手段と、
前記マゼンタ信号と前記シアン信号の和を、前記Ｂ信号から所定の割合で減算して前記青信号を生成する手段と、を備えることを特徴とする請求項５に記載のカラー画像表示装置。
【請求項８】
前記色演算部は、
前記ＲＧＢ信号が白黒画像であるかカラー画像であるかを判定する判定部と、
前記ＲＧＢ信号が白黒画像と判定された場合に、前記ＲＧＢ信号から線分を検出し、検出された線分を示す６色信号を生成する白黒画像処理部と、
前記ＲＧＢ信号がカラー画像と判定された場合に、前記ＲＧＢ信号から前記カラー画像に対応する６色信号を生成するカラー画像処理部と、を備えることを特徴とする請求項４に記載のカラー画像表示装置。
【請求項９】
前記判定部は、
前記ＲＧＢ信号をＹＵＶ信号に変換する手段と、
前記ＹＵＶ信号のうちのＵ信号及びＶ信号が所定値未満のときに当該ＲＧＢ信号を白黒画像と判定し、前記Ｕ信号及びＶ信号が所定値以上であるときに当該ＲＧＢ信号をカラー画像と判定する手段と、を備えることを特徴とする請求項８に記載のカラー画像表示装置。
【請求項１０】
前記白黒画像処理部は、線分検出マトリクスにより前記線分を検出することを特徴とする請求項８又は９に記載のカラー画像表示装置。
【請求項１１】
前記カラー画像処理部は、前記ＲＧＢ信号を構成する所定数の画素に対する重み付け演算により、前記６色信号を生成することを特徴とする請求項８乃至１０のいずれか一項に記載のカラー画像表示装置。
【請求項１２】
前記カラー画像処理部は、前記所定数の画素に対してマトリクス演算を行うことにより前記６色信号を生成することを特徴とする請求項１１に記載のカラー画像表示装置。
【請求項１３】
請求項４乃至１２のいずれか一項に記載のカラー画像表示装置を画像表示部として備えることを特徴とする電子機器。
【発明の詳細な説明】
【技術分野】
【０００１】
本発明は、液晶装置などの電気光学装置及び電子機器の技術分野に属する。また、本発明は、電子ペーパなどの電気泳動装置、さらにはＥＬ（エレクトロルミネッセンス）装置などの技術分野にも属する。
【背景技術】
【０００２】
近年、携帯電話、ＰＤＡなどの携帯端末装置には、カラー液晶表示装置などのカラー画像表示装置が使用されている。例えば液晶表示装置の場合、液晶を挟持してなる一対の透明基板の一方にカラーフィルタを設けることによりカラー表示を可能としている。一般的なカラーフィルタは加法混色系に従い、赤（Ｒ）、緑（Ｇ）及び青（Ｂ）の３色のフィルタ領域が繰り返し配列されて構成される。即ち、赤のフィルタ領域、緑のフィルタ領域及び青のフィルタ領域が隣接して形成され、これらＲＧＢの３色のフィルタ領域によりカラー１画素が形成される。
【０００３】
このように、ＲＧＢ３色のカラーフィルタを利用したカラー画像表示装置においては、ＲＧＢ３色によりカラー表示を行う場合に表現可能な色は、いわゆるＣＩＥ色度図上におけるＲＧＢの色三角形により規定される領域内の色に限られる。一方、カラープリンタなどでは、減法混色系に従い、イエロー（Ｙ）、マゼンタ（Ｍ）及びシアン（Ｃ）の３色（必要に応じて黒インクを加えた４色）のインクによりカラー画像を印刷する。プリンタの方は、本来、色度図上でそれらＹＭＣ３色により規定される領域にわたって色再現が可能な能力を有している。しかし、通常、プリンタにおいて印刷対象とされるソース画像は表示装置に適合したＲＧＢデータであることが多いため、プリンタは入力されたＲＧＢデータを内部でＹＭＣデータに色変換し、ＹＭＣ各色のインクを使用してソース画像を印刷している。このため同じソース画像を表示装置上に表示した場合と、プリンタで印刷した場合とでは色再現性が異なることとなり、表示装置とプリントとの間の色のマッチングが十分ではない。
【０００４】
なお、反射型カラー液晶装置において、ＲＧＢ３色の代わりに、ＹＭＣ３色のカラーフィルタを設けたものが特許文献１に記載されている。また、相互に補色関係にある赤色のカラーフィルタとシアンのカラーフィルタを１画素内に隣接させて配置し、１画素で白、赤、黒の色表示を行うものが特許文献２に記載されている。また、ＲＧＢ３色により１画素を構成するカラー表示装置において、ＲＧＢ各カラードット単位で駆動を制御することにより、表示画像の解像度を向上させる手法が特許文献３に記載されている。
【０００５】
【特許文献１】ＷＯ９７／４５７６６号公報
【特許文献２】特開平９−２３０３１０号公報
【特許文献３】特開平３−２０１７８８号公報
【発明の開示】
【発明が解決しようとする課題】
【０００６】
本発明は、ＲＧＢ及びＹＭＣの６色構成のフィルタを使用することにより、色再現性を向上させることが可能なカラー画像表示装置を提供することを課題とする。
【課題を解決するための手段】
【０００７】
本発明の１つの観点では、カラー画像表示装置に用いられるカラーフィルタは、１画素を構成する領域が、赤フィルタ領域、緑フィルタ領域、青フィルタ領域、イエローフィルタ領域、マゼンタフィルタ領域及びシアンフィルタ領域を有する。このように、赤、緑、青のフィルタ領域に加えて、イエロー、マゼンタ、シアンのフィルタ領域を設け、それら全体で１画素の領域を構成することにより、表示可能な色範囲を広げることができる。
【０００８】
上記のカラーフィルタの一態様では、前記赤フィルタ領域と前記シアンフィルタ領域とは相互に隣接し、かつ、一方向に並んで配置され、前記緑フィルタ領域と前記マゼンタ領域とは相互に隣接し、かつ、前記一方向に並んで配置され、前記青フィルタ領域と前記イエロー領域とは相互に隣接し、かつ、前記一方向に並んで配置される。
【０００９】
この態様によれば、赤とシアン、緑とマゼンタ、青をイエローという補色関係にある色の組み合わせを隣接して設けるので、各組み合わせにより白黒（グレー）表示が可能となる。即ち、上記３つの組み合わせが独立に白黒表示を行うことにより、実質的な解像度を３倍とすることができ、これによりテキストなどの白黒表示における解像度を改善することが可能となる。また、補色関係にある組み合わせにより白黒表示を行うので、色付きが生じることもない。
【００１０】
上記のカラーフィルタの一態様では、前記赤フィルタ領域、緑フィルタ領域及び青フィルタ領域は前記一方向に垂直な方向に一列に配置されてＲＧＢフィルタ領域を構成し、前記イエローフィルタ領域、前記マゼンタフィルタ領域及び前記シアンフィルタ領域は前記一方向に垂直な方向に一列に配置されてＹＭＣフィルタ領域を構成し、前記前記ＲＧＢフィルタ領域と前記ＹＭＣフィルタ領域とが隣接して配置される。
【００１１】
この態様では、ＲＧＢフィルタ領域により白黒表示が可能であり、ＹＭＣフィルタ領域によっても白黒表示が可能であるので、白黒表示に関しては解像度を２倍とすることができる。
【００１２】
本発明の他の観点では、カラー画像表示装置は、１画素を構成する領域が、赤フィルタ領域、緑フィルタ領域、青フィルタ領域、イエローフィルタ領域、マゼンタフィルタ領域及びシアンフィルタ領域を有するカラーフィルタを備える表示パネルと、外部から入力されるＲＧＢ信号に基づいて、赤信号、緑信号、青信号、イエロー信号、マゼンタ信号及びシアン信号を含む６色信号を生成する色演算部と、前記６色信号に基づいて、前記表示パネルの各色のフィルタ領域の表示を制御し、前記ＲＧＢ信号に対応する画像を前記表示パネル上に表示する制御部と、を備える。
【００１３】
上記のカラー画像表示装置によれば、赤、緑、青のフィルタ領域に加えて、イエロー、マゼンタ、シアンのフィルタ領域を設け、それら全体で１画素の領域を構成することにより、表示可能な色範囲を広げることができる。また、入力される画像データがＲＧＢ信号である場合でも、それに基づいてイエロー、マゼンタ及びシアンの信号を生成し、６色信号により表示を行うので、一般的に使用されるＲＧＢ信号を利用することができる。
【００１４】
上記のカラー画像表示装置の一態様では、前記色演算部は、前記ＲＧＢ信号に含まれるＲ信号及びＧ信号の論理積演算により前記イエロー信号を生成する手段と、前記ＲＧＢ信号に含まれるＲ信号及びＢ信号の論理積演算により前記マゼンタ信号を生成する手段と、前記ＲＧＢ信号に含まれるＧ信号及びＢ信号の論理積演算により前記シアン信号を生成する手段と、を備える。このように、ＲＧＢ信号を利用した単純な演算処理により、イエロー、マゼンタ及びシアンの信号を生成することができる。
【００１５】
一方、６色信号中の赤、緑及び青の信号については、前記色演算部は、前記ＲＧＢ信号に含まれるＲ信号、Ｇ信号及びＢ信号を、それぞれ前記６色信号中の赤信号、緑信号及び青信号として出力することとしてもよい。また、そのかわりに、前記イエロー信号と前記マゼンタ信号の和を、前記Ｒ信号から所定の割合で減算して前記赤信号を生成し、前記イエロー信号と前記シアン信号の和を、前記Ｇ信号から所定の割合で減算して前記緑信号を生成し、前記マゼンタ信号と前記シアン信号の和を、前記Ｂ信号から所定の割合で減算して前記青信号を生成することとしてもよい。
【００１６】
上記のカラー画像表示装置の他の一態様では、前記色演算部は、前記ＲＧＢ信号が白黒画像であるかカラー画像であるかを判定する判定部と、前記ＲＧＢ信号が白黒画像と判定された場合に、前記ＲＧＢ信号から線分を検出し、検出された線分を示す６色信号を生成する白黒画像処理部と、前記ＲＧＢ信号がカラー画像と判定された場合に、前記ＲＧＢ信号から当該カラー画像を示す６色信号を生成するカラー画像処理部と、を備える。
【００１７】
この態様では、入力されるＲＧＢ信号が白黒画像であるかカラー画像であるかが判定され、それに基づいて異なる方法により６色信号が生成される。具体的には、入力されるＲＧＢ信号が白黒画像である場合には、当該画像は文字や図形などを含む画像であると予想されるので、そこに含まれる線分を検出し、それら線分を示す６色画像を生成する。本発明による６色カラーフィルタは、その配置により白黒画像に対しては縦及び横方向の解像度を高めることができるので、上記の方法で６色信号を生成することによりテキストなどを示す画像データを明瞭に表示することが可能となる。一方、入力されるＲＧＢ信号がカラー画像である場合には、そのカラー画像に対応する６色信号が生成される。これにより、本発明の６色カラーフィルタを用いて、広い色再現域でカラー画像を表示することができる。
【００１８】
好適な例では、前記判定部は、前記ＲＧＢ信号をＹＵＶ信号に変換する手段と、前記ＹＵＶ信号のうちのＵ信号及びＶ信号が所定値未満のときに当該ＲＧＢ信号を白黒画像と判定し、前記Ｕ信号及びＶ信号が所定値以上であるときに当該ＲＧＢ信号をカラー画像と判定する手段と、を備えることができる。この場合、ＲＧＢ信号から輝度信号（Ｙ信号）成分と色差信号（Ｕ、Ｖ信号）成分を求め、色差信号成分の割合に基づいて、ＲＧＢ信号が白黒画像であるかカラー画像であるかを精度よく判定することができる。
【００１９】
また、好適な例では、前記白黒画像処理部は、線分検出マトリクスにより前記線分を検出することができる。
【００２０】
さらに、前記カラー画像処理部は、前記ＲＧＢ信号を構成する所定数の画素に対する重み付け演算により、前記６色信号を生成することができる。ＲＧＢ信号から６色信号を生成する際、ＲＧＢ信号の所定数の画素に基づいて６色信号が生成される。このとき、前記カラー画像処理部は、前記所定数の画素に対してマトリクス演算を行うことにより前記６色信号を生成して、実質的にカラー画像の解像度を高めることができる。
【００２１】
また、上記のカラー画像表示装置を利用して、電子機器を構成することにより、色再現範囲の広い表示が可能な電子機器を提供することができる。
【発明を実施するための最良の形態】
【００２２】
以下、図面を参照して本発明を実施するための最良の形態について説明する。なお、以下の説明では、本発明を適用した電気光学パネルの一例として、液晶表示パネルについて説明する。
【００２３】
［カラーフィルタ］
まず、本発明によるカラーフィルタについて説明する。本発明では、通常カラーフィルタとして使用されるＲＧＢ３色に加えて、ＹＭＣ３色の領域を備える計６色のカラーフィルタを構成することに特徴を有する。なお、以下の説明では、ＹＭＣ３色全体について言及するときは「ＹＭＣ」と表記し、イエローのみについて言及する場合には記号として「ＹＬ」を使用する。また、画像信号の輝度信号を示す記号として「Ｙ」を使用することとし、イエロー信号と輝度信号との表記を区別する。
【００２４】
図１に、ＣＩＥ色度図上に示したカラーフィルタの色再現領域を示す。破線で示す３角形の色再現領域２はＲＧＢ３色のカラーフィルタのものであり、各頂点５Ｒ、５Ｇ及び５Ｂがそれぞれ赤、緑及び青の表示色に対応する。即ち、ＲＧＢ３色のカラーフィルタを用いた場合に再現可能な色は、色再現領域２内の色ということになる。
【００２５】
一方、ＲＧＢに加えてＹＭＣを使用した６色カラーフィルタの色再現領域３は実線の６角形となる。各頂点６ＹＬ、６Ｍ及び６Ｃがそれぞれイエロー、シアン、マゼンタの色に対応する。ＲＧＢに加えてＹＭＣのカラーフィルタを使用することにより、その表示装置が表示可能な色再現領域は増加し、多彩な色が表示可能となる。これは、プリンタなどのインクによって色を表現する場合と、液晶表示装置などの表示装置で色を表示する場合において、表示色を合わせるために好適である。
【００２６】
図２に、カラーフィルタの構成例を示す。一般的なＲＧＢ３色のカラーフィルタの１画素は図２（ａ）に示すように、Ｒ、Ｇ、Ｂ各色のフィルタ領域を並べて１画素を構成する。これに対し、本発明の実施形態による６色カラーフィルタの１画素は、図２（ｂ）に示すように、Ｒ、Ｇ、Ｂ、ＹＬ、Ｍ、Ｃの６色のフィルタ領域の配列により構成される。このように、６色のフィルタ領域を有するカラーフィルタを使用することにより、前述のように色再現領域を拡大することができる。
【００２７】
図２（ａ）及び（ｂ）から理解されるように、図２（ｂ）に示す６色カラーフィルタの場合、図２（ａ）に示す３色カラーフィルタと比較して１画素の面積が大きくなる。即ち、表示解像度はその分低下することになる。しかし、本実施形態によれば、白黒表示においてはその解像度の低下を補うことが可能である。これについて以下に説明する。
【００２８】
一般的に、人間の視覚特性は、白黒表示を認識する際の解像度は高いが、色を認識する際の解像度はそれほど高くないことが知られている。これは、白黒を認識する網膜上の細胞数の方が多く、色を認識する網膜上の細胞数の方が少ないなどの理由による。したがって、６色カラーフィルタを採用することにより前述のように解像度の低下は生じるが、白黒表示の際にそれを補うことができれば、それほど大きな悪影響は生じないといえる。
【００２９】
そこで、本実施形態では、図２（ｂ）に示すように、まずＲＧＢ及びＹＭＣの組み合わせをそれぞれ横方向に配列した。ＲＧＢの３色の組み合わせで白黒（グレー）表示が可能であり、ＹＭＣの３色の組み合わせによっても白黒表示が可能であるので、白黒表示の場合は、図２（ｂ）に示す１画素は、図２（ｄ）に示すように、縦方向に２画素分の白黒表示が可能となる。即ち、図２（ｂ）に示した６色カラーフィルタを採用した場合でも、白黒表示に関しては、図２（ｄ）に示すように上下方向の解像度を２倍にすることができる。
【００３０】
さらに、本実施形態では、図２（ｂ）に示すように、相互に補色関係にある色を縦方向に並べて配置する。相互に補色関係にある色とは、具体的にはＲとＣ、ＧとＭ、ＢとＹＬである。従って、これらが上下方向に並ぶようにＲ、Ｇ、Ｂ、ＹＬ、Ｍ、Ｃの６色のフィルタを縦及び横方向に配置する。
【００３１】
図３に６色のフィルタの光透過特性例を示す。図示のように、ＲとＣのフィルタにより全波長をカバーするので、ＲとＣのフィルタ領域を同じデータ（即ち同じ階調値）で表示すれば、それらの組み合わせにより白黒表示が可能となる。例えば２５６階調の画像データの場合、ＲとＣのフィルタ領域の階調値をともに２５６とすれば黒が表示され、０とすれば白が表示される。また、ＲとＣのフィルタ領域を同じ階調値（例えば１２８）で表示すれば、グレー表示が可能となる。これは、ＧとＭの組み合わせ、及び、ＢとＹＬの組み合わせについても同じである。よって、相互に補色関係となる色の組み合わせにより、１つの白黒画素が構成できることになる。
【００３２】
図２（ｃ）にその様子を示す。図２（ｃ）の例では、ＲとＣの組み合わせ及びＢとＹＬの組み合わせをそれぞれ黒表示とし、ＧとＭの組み合わせを白表示としている。このように、補色関係となる組み合わせを隣接して配置すれば、その組み合わせにより１つの白黒画素を構成することができる。従って、図２（ｃ）に示すように、白黒表示に関しては、横方向３画素分の表示が可能となり、横方向に解像度を３倍とすることができる。
【００３３】
なお、近年では、ＲＧＢ３色によるカラー表示時などに、ＲＧＢ各色のサブピクセル単位で表示を制御して解像度を向上させる手法が提案されているが（例えば前述の特許文献３など）、この手法はＲＧＢ各色の階調値を異ならせる必要があるため、実際の表示画素に色づきが生じることが避けられない。これに対し、補色の組み合わせを使用する上記の方法は、補色関係にある色のフィルタ領域を同一階調値で表示するので、色づきが生じることはないという利点がある。
【００３４】
このように、例えば従来のＲＧＢ３色のフィルタにより白黒表示を行う場合よりも解像度を改善することができるので、白黒のテキストなどを表示装置上に表示させて読む場合により見やすい表示となると考えられる。
【００３５】
なお、図２（ｂ）の例において、ＲＧＢのフィルタ領域とＣＭＹのフィルタ領域の上下関係を入れ替えてもよい。また、ＲＧＢの横方向の配列も変更可能である（例えば、左からＲ、Ｂ、Ｇなど）が、その場合でも補色関係にある２色が縦方向に配列されることが必要となる。また、縦と横の方向を入れ替えてもかまわない（即ち、ＲＧＢが縦方向に１列に並び、ＣＭＹが縦方向に１列に並び、それらが横方向に並ぶ構成）。
【００３６】
［表示装置］
（第１実施例）
次に、上述の６色カラーフィルタを適用した表示装置の第１実施例について説明する。図４に、第１実施例に係る表示装置１０の構成例を示す。この表示装置１０は、携帯電話、ＰＤＡなどの携帯端末に適用可能である。図４において、本実施形態の表示装置１０は、色演算部１２と、液晶表示パネル１４を備える。液晶表示パネル１４は液晶表示装置１８とドライバ１６を備える。
【００３７】
表示装置１０に対しては、外部からＲＧＢ信号２０が入力される。ＲＧＢ信号２０は、Ｒ信号Ｓｒ、Ｇ信号Ｓｇ及びＢ信号Ｓｂを含む。色演算部１２は、入力されたＲＧＢ信号２０から、６色信号２２を生成する。６色信号２２は、Ｒ、Ｇ、Ｂ、ＹＬ、Ｍ、Ｃの各色に対応する信号であり、液晶表示パネル１４内のドライバ１６へ供給される。
【００３８】
液晶表示部１８は前述の６色カラーフィルタを適用した液晶表示部である。ドライバ１６は、入力された６色信号２２に基づいて液晶表示部１８の各画素を駆動する。これにより、図２（ｂ）に例示したように、６色カラーフィルタにより構成される各画素が駆動され、ＲＧＢ信号２０として入力された画像が液晶表示部１８に表示される。
【００３９】
次に、色演算部１２の詳細について説明する。色演算部１２は、入力されたＲＧＢ信号から、液晶表示部１８に設けられた６色カラーフィルタの各フィルタ領域に対応する６色信号を生成する。
【００４０】
まず、６色信号の第１の生成方法を説明する。ＲＧＢ各色の分光特性と、ＹＭＣ各色の分光特性は図３に示したようである。よって、例えばシアン信号Ｓｃは青信号Ｓｂと緑信号Ｓｇの論理積（ＡＮＤ）により生成することができる。同様に、マゼンタ信号Ｓｍは青信号Ｓｂと赤信号Ｓｒの論理積により生成することができ、イエロー信号Ｓｙは緑信号Ｓｇと赤信号Ｓｒの論理積により生成することができる。図５に、ＹＬ、Ｍ、Ｃ各色の信号を生成する演算を論理回路により示す。一方、ＲＧＢ各色の信号は、ＲＧＢ信号２０として入力された信号をそのまま用いることができる。よって、６色信号の各色成分は以下のように得られる。
【００４１】
Ｒout  ＝  Ｓｒ
Ｇout  ＝  Ｓｇ
Ｂout  ＝  Ｓｂ
Ｃout  ＝  Ｓｇ  ＡＮＤ  Ｓｂ
Ｍout  ＝  Ｓｂ  ＡＮＤ  Ｓｒ
ＹＬout  ＝  Ｓｒ  ＡＮＤ  Ｓｇ
次に、６色信号の第２の生成方法について説明する。第１の生成方法では、入力されたＲＧＢ信号２０に基づいてＹＬ、Ｍ、Ｃ各色の信号を生成するとともに、入力されたＲＧＢ信号２０の各色信号をそのまま出力として使用しているので、表示画像は元の画像よりも高濃度となることがある。第２の生成方法では、ＹＬ、Ｍ、Ｃ各色の信号は第１の生成方法と同様に生成するが、ＲＧＢ各色の出力信号は、入力されたＲＧＢ信号２０の各色信号から、ＹＭＣ信号に反映された成分を所定の割合で減算する。具体的には、６色信号の各色成分を以下のようにして得る。
【００４２】
Ｒout  ＝  ｂ｛Ｓｒ  −  ａ（Ｙout＋Ｍout）｝
Ｇout  ＝  ｂ｛Ｓｇ  −  ａ（Ｙout＋Ｃout）｝
Ｂout  ＝  ｂ｛Ｓｂ  −  ａ（Ｍout＋Ｃout）｝
Ｃout  ＝  Ｓｇ  ＡＮＤ  Ｓｂ
Ｍout  ＝  Ｓｂ  ＡＮＤ  Ｓｒ
ＹＬout  ＝  Ｓｒ  ＡＮＤ  Ｓｇ
ここで、ａ及びｂは６色カラーフィルタの各色の強度成分の設計により決定される係数である。
【００４３】
このように、第２の生成方法によれば、全体としての濃度をソース画像の濃度に近くすることができる。また、この方法を利用して、単に入力されたＲＧＢ信号からＹＭＣ信号を生成するだけでなく、６色カラーフィルタによる色再現性を任意に調整することが可能となる。即ち、６色カラーフィルタの特性を考慮して係数ａ及びｂを決定することにより、その表示装置において要求される色再現性を実現することができるようになる。
【００４４】
（第２実施例）
次に、表示装置の第２実施例について説明する。図６に第２実施例に係る表示装置１０ａの構成を示す。図４に示した表示装置１０においては、ＲＧＢ信号２０が入力され、それに基づいて６色信号を生成して６色カラーフィルタを搭載する液晶表示パネル１４に画像を表示した。この変形例では、表示装置１０ａはＹＭＣ信号２４も入力可能なように構成した。即ち、ソース画像がＲＧＢ信号２０として入力された場合は、表示装置１０と同様にＲＧＢ信号２０から６色の各色信号を生成して液晶表示パネル１４へ供給する。一方、ソース画像がＹＭＣ信号２４として入力された場合は、色演算部１２ａはＹＭＣ信号２４から６色信号２６を生成し、液晶表示パネル１４へ供給する。
【００４５】
色演算部１２ａは、ＹＭＣ信号２４が入力された場合は、ＹＭＣ信号からＲＧＢ信号を生成する色演算を行う。この演算は前述したＲＧＢ信号からＹＭＣ信号への演算と類似している。即ち、図３から理解されるように、Ｒ信号はＭ信号とＹ信号の論理和（ＯＲ）により得ることができ、Ｇ信号はＣ信号とＹ信号の論理和により得ることができ、Ｂ信号はＣ信号とＭ信号の論理和により得ることができる。つまり色演算部１２ａはＹＭＣ信号の入力に対して、図７に示す論理回路によりＲＧＢ信号を生成することができる。
【００４６】
この場合、６色信号として出力されるＹＭＣ信号は、前述のＹＭＣ信号の第１の生成方法と同様に入力されたＹＭＣ信号をそのまま使用してもよいし、第２の生成方法と同様に、ＹＭＣ信号から生成したＲＧＢ信号の成分を、元のＹＭＣ信号から所定の割合で減算することとしてもよい。
【００４７】
この変形例による表示装置１０ａは、例えばプリンタにより印刷するソース画像を、印刷結果に近い色再現性で表示する用途などに好適に使用することができる。即ち、ＲＧＢ信号又はＹＭＣ信号として入力されたソース画像データを６色カラーフィルタを搭載した液晶表示パネル１４に表示することにより、プリンタにより得られる色再現性と同等の色再現性で表示装置１０ａ上に表示することができる。
【００４８】
（第３実施例）
次に、表示装置の第３実施例について説明する。図８に第３実施例に係る表示装置１０ｂの構成を示す。図示のように、第３実施例に係る表示装置１０ｂは、第１実施例に係る表示装置１０と同様に、入力信号としてＲＧＢ信号２０を受け取る。但し、第３実施例においては、色演算部１２ｂは第１実施例と異なる手法で６色信号２８を生成し、出力する。
【００４９】
既に述べたように、本発明の６色カラーフィルタは、カラー画像信号に対しては通常のＲＧＢのみのカラーフィルタと比較して広い色再現領域を有するという利点がある。一方、６色の画素でカラー１画素を構成するため、そのままでは解像度が低下することとなるが、白黒画像に対しては上述のような６色の配列により、解像度の低下を補うことができるという特徴を有する。
【００５０】
第３実施例はこの特徴を利用し、入力画像が白黒（無彩色）であるか、カラー画像（有彩色）であるかを判別し、それぞれの場合に異なる処理を行う。具体的には、入力画像が白黒画像である場合は、入力画像から線分（縦線及び横線）を検出し、各画素に白又は黒を割り付けることにより、線分を強調する表示を行う。これにより、入力画像がテキストなどである場合に、文字、図形などをはっきりと表示することができる。
【００５１】
一方、入力画像がカラー画像である場合には、入力画像データの所定数の画素データから、本発明の６色カラーフィルタに適合した６色信号を生成する。このとき、所定のマトリクスを使用することにより、特定の画素の階調値をその周辺の画素の階調値も考慮して決定することにより、実質的に解像度を向上させる処理も行う。
【００５２】
図９は、６色カラーフィルタへの色変換をソフトウェア処理で行う場合の色変換部１２ｂの概略構成を示すブロック図である。色変換部１２ｂは、ＣＰＵ３０と、プログラムメモリ３１と、ネットワークＩ／Ｆ３２と、ディスプレイＩ／Ｆ３３と、Ｉ／Ｏデバイス３４とがバス３５に接続されて構成される。プログラムメモリ３１は、後述する色変換処理プログラムを記憶している。ネットワークＩ／Ｆ３２は、ネットワークからソース画像を取得する場合などに使用される。ディスプレイＩ／Ｆ３３は、色変換により得られた６色信号２８を液晶表示パネル１４へ供給するためのインタフェースである。Ｉ／Ｏデバイス３４は、ソース画像の選択などを含む選択／指示をユーザが行うために使用されるデバイスである。ＣＰＵ３０は、色変換部１２ｂの各構成要素を制御する他、プログラムメモリ３１に記憶されている色変換プログラムを実行することにより、後述する色変換処理を実行する。
【００５３】
図１０は色変換部１２ｂの機能ブロック図である。色変換部１２ｂは、機能的には、判定部４１と、白黒画像処理部４２と、カラー画像処理部４３と、γ変換部４４とを備える。なお、これらの構成要素は基本的にＣＰＵ３０がプログラムメモリ３１に記憶されている所定のプログラムを実行することにより実現される。
【００５４】
色変換部１２ｂに入力されたＲＧＢ信号２０は、判定部４１、白黒画像処理部４２及びカラー画像処理部４３に入力される。判定部４１は、ＲＧＢ信号２０をＹＵＶ変換し、輝度信号Ｙ、並びに色差信号Ｕ及びＶを生成する。そして、得られた色差信号に基づいて、入力されたＲＧＢ信号が白黒画像であるかカラー画像であるかを判定する。具体的には、色差信号Ｕ及びＶが所定値Ｘ未満か否かを判定し、所定値Ｘ未満である場合には入力画像が白黒画像であると判定し、所定値Ｘ以上である場合は入力画像がカラー画像であると判定する。所定値Ｘとしては例えば「０．１」（即ち１０％）程度を使用することができる。この場合、色成分が１０％未満である画像を白黒画像、１０％以上である画像をカラー画像と判定することになる。こうして得られた判定結果信号６１は、白黒画像処理部４２及びカラー画像処理部４３へ送られる。
【００５５】
白黒画像処理部４２は、入力画像が白黒画像であることを判定結果信号６１が示している場合に動作し、後述のライン化処理を行ってライン強調した画像信号６２を生成してγ変換部４４へ送る。一方、カラー画像処理部４３は、入力画像がカラー画像であることを判定結果信号６１が示している場合に動作し、後述のカラー画素レンダリング処理により解像度を向上させた画像信号６３を生成してγ変換部４４へ送る。γ変換部４４は、供給された画像信号６２又は６３に対して所定のγ特性に基づいてγ変換を行い、６色信号２８として出力する。
【００５６】
図１１は、色変換部１２ｂが実行する色変換処理のフローチャートである。なお、この色変換処理は前述のようにＣＰＵ３０が色変換プログラムを実行することにより、図１０に示す各構成要素として機能して実現される。まず、判定部４１は外部から画像データ（即ちＲＧＢ信号２０）を受け取る（ステップＳ１）。次に、判定部４１は、画像データをＹＵＶ変換して色差信号Ｕ及びＶを生成し、それらを所定値Ｘと比較することにより、入力画像が白黒画像（無彩色）であるか、カラー画像（有彩色）であるかを判定する（ステップＳ２）。
【００５７】
入力画像が白黒画像である場合（ステップＳ２；Yes）、白黒画像処理部４２がライン化処理を行う。一方、入力画像がカラー画像である場合（ステップＳ２；No）、カラー画像処理部４３がカラー画素レンダリング処理を行う。こうして、白黒の画像信号６２又はカラーの画像信号６３が生成される。そして、γ変換部４４は、それらのいずれかにγ変換などを施した後、６色信号２８として液晶表示パネル１４へ出力する。
【００５８】
次に、白黒画像処理部４２により行われるライン化処理について詳しく説明する。
【００５９】
（１）６画素データから６色信号を生成する場合
入力画像の６画素分（横３画素×縦２画素）のデータから６色信号を生成する場合、白黒画像処理部４２は入力画像の６画素分のＹ信号に対して、図１２に示す横線検出マトリクス及び縦線検出マトリクスを適用して、縦線及び横線を検出する。図１２（ａ）は横線検出マトリクスであり、左側のマトリクスが６画素の領域中の上側に位置する横線（黒線）を検出し、右側のマトリクスが６画素の領域中の下側に位置する横線（黒線）を検出する。
【００６０】
図１２（ｂ）及び（ｃ）は縦線検出マトリクスである。図１２（ｂ）の左側のマトリクスは６画素の領域における左側に位置する縦線（黒線）を検出し、中央のマトリクスは６画素の領域における中央に位置する縦線（黒線）を検出し、右側のマトリクスは６画素の領域における右側に位置する縦線（黒線）を検出する。一方、図１２（ｃ）の左側のマトリクスは６画素の領域における左側に位置する縦線（白線）を検出し、中央のマトリクスは６画素の領域における中央に位置する縦線（白線）を検出し、右側のマトリクスは６画素の領域における右側に位置する縦線（白線）を検出する。
【００６１】
これらのマトリクスを使用して入力画像中の線分（ライン）が検出されると、白黒画像処理部４２は、線分上に位置する画素に黒又は白の階調値を割り当てる。例えば、各画素が２５６階調（白：階調値「０」、黒：階調値「２５５」）であるとすると、黒線上に位置する画素には黒の階調値「２５５」を割り付け、白線上に位置する画素には白の階調値「０」を割り付ける。そして、白黒画像処理部４２は、そうして得られた画像信号６２を６色信号２８として出力する。
【００６２】
この６色信号２８は、図２（ｂ）に例示する６色カラーフィルタに表示される。図２を参照して述べたように、本発明の６色カラーフィルタでは、ＲＧＢ及びＹＭＣの組み合わせにより縦方向に２画素分の白黒解像度、補色の組み合わせにより横方向に３画素分の白黒解像度を得ることができるので、ライン化処理により得られた画像信号６２を表示することにより、上記の縦２倍、横３倍の白黒解像度を生かして解像度の高い白黒画像を表示することができる。
【００６３】
（２）３画素データから６色信号を生成する場合
入力画像の３画素分（横３画素）のみの画像データから６色信号を生成する場合には、縦線の検出はできないので、図１２（ａ）に示す横線検出フィルタのみを使用して横線のみを検出する。その後の処理は６画素データから６色信号と生成する場合と同様であり、黒線上に位置する画素に黒の階調値を割り付けて画像信号６２を生成し、出力する。この場合にも、６色カラーフィルタの縦方向に２画素分の白黒解像度を生かして解像度の高い白黒画像を表示することができる。
【００６４】
次に、カラー画素処理部４３により実行されるカラー画素レンダリング処理について説明する。
【００６５】
（１）６画素データから６色信号を生成する場合
図１３に６画素データから６色信号を生成する場合の処理を模式的に示す。いま、図１３の左側に示すように、ある入力画像の一部の６画素（横３画素×縦２画素）の領域５１に対応する６色データを生成することを考える。
【００６６】
(a)第１の方法
第１の方法は第１実施例の第２の生成方法と類似している。即ち、入力ＲＧＢ信号は、
Ｓｒ＝（Ｒ１＋Ｒ２＋Ｒ３＋Ｒ４＋Ｒ５＋Ｒ６）
Ｓｇ＝（Ｇ１＋Ｇ２＋Ｇ３＋Ｇ４＋Ｇ５＋Ｇ６）
Ｓｂ＝（Ｂ１＋Ｂ２＋Ｂ３＋Ｂ４＋Ｂ５＋Ｂ６）
と表されるので、６色信号は下記の式で得られる。
【００６７】
Ｒout  ＝  β｛Ｓｒ  −  α（Ｙout＋Ｍout）｝
Ｇout  ＝  β｛Ｓｇ  −  α（Ｙout＋Ｃout）｝
Ｂout  ＝  β｛Ｓｂ  −  α（Ｍout＋Ｃout）｝
Ｃout  ＝  θ（Ｓｇ  ＡＮＤ  Ｓｂ）
Ｍout  ＝  θ（Ｓｂ  ＡＮＤ  Ｓｒ）
ＹＬout  ＝  θ（Ｓｒ  ＡＮＤ  Ｓｇ）
ここで、α、β及びθは６色カラーフィルタの各色の強度成分の設計により決定される係数である。
【００６８】
この方法では、表示画像の縦横の解像度ではなく、階調の深さが６倍に拡張されるため、階調表現能力は１画素分のＲＧＢデータを入力された場合より高くなり、色表現が豊かになる。例えば入力のＲ色の画像データが８ビット（２５６階調）である場合、出力データＲoutは２５６×６階調のデータ表現が可能となる。
【００６９】
(b)第２の方法
第２の方法では、図１３に示すようにマトリクス演算を用いる。図１３に示すように、入力画像データの所定位置の６画素領域５１のデータ（横３画素×縦２画素）に対して、その領域の上又は下に位置する３画素領域５２（図１３では下側）のデータを含めた９画素データ（横３画素×縦３画素）毎に、３×３のマトリクス５５を乗算し、「６」で除算して正規化することにより出力の６色データを得る。マトリクス５５は、中心の横ラインの係数が「１．０」であり、上下の横ラインの係数が「０．５」であるので、上下の横ラインの画素にも基づいて出力の６色データが生成される。即ち、出力６色データは、マトリクス５５を用いた周辺画素の重み付け演算により決定されることとなり、その結果、実質的に上下方向における解像度が増す。
【００７０】
具体的には、各出力データは以下の式で得られる。
【００７１】
Ｒout＝（0.5R11+0.5R12+0.5R13+1.0R21+1.0R22+1.0R23+0.5R31+0.5R32+0.5R33)/6
Ｇout＝（0.5G11+0.5G12+0.5G13+1.0G21+1.0G22+1.0G23+0.5G31+0.5G32+0.5G33)/6
Ｂout＝（0.5B11+0.5B12+0.5B13+1.0B21+1.0B22+1.0B23+0.5B31+0.5B32+0.5B33)/6
Ｃout＝Ｇout  ＡＮＤ  Ｂout
Ｍout＝Ｂout  ＡＮＤ  Ｒout
Ｙout＝Ｒout  ＡＮＤ  Ｇout
以上のようにして、ＲＧＢ入力画像データの６画素から、本発明の６色カラーフィルタに適合したＲ、Ｇ、Ｂ、ＹＬ、Ｍ、Ｃの６色の画素データを生成することができる。
【００７２】
（２）３画素データから６色信号を生成する場合
図１４に３画素データから６色信号を生成する場合の処理を模式的に示す。いま、図１４の左側に示すように、ある入力画像の一部の３画素により構成される領域５７に対応する６色データを生成することを考える。
【００７３】
(a)第１の方法
第１の方法は第１実施例の第２の生成方法と類似している。即ち、入力ＲＧＢ信号は、
Ｓｒ＝（Ｒ１＋Ｒ２＋Ｒ３）
Ｓｇ＝（Ｇ１＋Ｇ２＋Ｇ３）
Ｓｂ＝（Ｂ１＋Ｂ２＋Ｂ３）
と表されるので、６色信号は下記の式で得られる。
【００７４】
Ｒout  ＝  β｛Ｓｒ  −  α（Ｙout＋Ｍout）｝
Ｇout  ＝  β｛Ｓｇ  −  α（Ｙout＋Ｃout）｝
Ｂout  ＝  β｛Ｓｂ  −  α（Ｍout＋Ｃout）｝
Ｃout  ＝  θ（Ｓｇ  ＡＮＤ  Ｓｂ）
Ｍout  ＝  θ（Ｓｂ  ＡＮＤ  Ｓｒ）
ＹＬout  ＝  θ（Ｓｒ  ＡＮＤ  Ｓｇ）
ここで、α、β及びθは６色カラーフィルタの各色の強度成分の設計により決定される係数である。
【００７５】
この方法では、表示画像の縦横の解像度ではなく、階調の深さが３倍に拡張されるため、階調表現能力は１画素分のＲＧＢデータを入力された場合より高くなり、色表現が豊かになる。例えば入力のＲ色の画像データが８ビット（２５６階調）である場合、出力データＲoutは２５６×３階調のデータ表現が可能となる。
【００７６】
(b)第２の方法
第２の方法では、図１４に示すようにマトリクス演算を用いる。図１４に示すように、入力画像データの所定位置の３画素データ（横３画素）に対して、その領域の左右の１画素を含めた５画素の領域５７のデータ（横５画素）毎に、１×５のマトリクス５８を乗算し、「２．５」で除算して正規化することにより出力の６色データを得る。マトリクス５８は、中央の係数が「１．０」であり、その左右の画素の係数が「０．５」であり、さらにその外側の左右の画素の係数が「０．２５」であるので、左右の画素値の重み付け演算により出力の６色データが生成されることになり、その結果、実質的に左右方向における解像度が増す。
【００７７】
具体的には、各出力データは以下の式で得られる。
【００７８】
Ｒout＝（0.25R11+0.5R12+1.0R13+0.5R14+0.25R15)/2.5
Ｇout＝（0.25G11+0.5G12+1.0G13+0.5G14+0.25G15)/2.5
Ｂout＝（0.25B11+0.5B12+1.0B13+0.5B14+0.25B15)/2.5
Ｃout＝Ｇout  ＡＮＤ  Ｂout
Ｍout＝Ｂout  ＡＮＤ  Ｒout
Ｙout＝Ｒout  ＡＮＤ  Ｇout
以上のようにして、ＲＧＢ入力画像データの３画素から、本発明の６色カラーフィルタに適合したＲ、Ｇ、Ｂ、ＹＬ、Ｍ、Ｃの６色の画素データを生成することができる。
【００７９】
［液晶表示パネル］
次に、本発明のカラーフィルタ基板を適用した液晶表示パネル例について説明する。この例は、上述の６色カラーフィルタを適用したカラーフィルタ基板を半透過反射型の液晶表示パネル１４に適用した例であり、液晶表示部１８の断面図を図１５に示す。
【００８０】
図１５において、液晶表示パネル１４は、ガラスやプラスチックなどからなる基板１０１と基板１０２とがシール材１０３を介して貼り合わせられ、内部に液晶１０４が封入されてなる。また、基板１０２の外面上には位相差板１０５及び偏光板１０６が順に配置され、基板１０１の外面上には位相差板１０７及び偏光板１０８が順に配置される。なお、偏光板１０８の下方には、透過型表示を行う際に照明光を発するバックライト１０９が配置される。
【００８１】
基板１０１はガラスなどの透明基板であり、その上に上述の６色カラーフィルタＣＦが形成される。即ち、ＲＧＢＹＭＣの６色のフィルタ領域が前述のような配列で形成される。また、必要に応じて、基板１０１の上に例えばアクリル樹脂などにより透明な樹脂散乱層が形成される。また、樹脂散乱層の上には、反射領域において金属膜が形成される。そして、反射領域においては、金属反射膜の上に各色のカラーフィルタが形成される。
【００８２】
さらに、必要に応じて、各色のカラーフィルタの境界には、ブラックマトリクスが形成される。そして、カラーフィルタＣＦの上にＩＴＯ（インジウムスズ酸化物）などの透明導電体からなる透明電極１７が形成される。この透明電極１７は本実施形態においては複数並列したストライプ状に形成されている。また、この透明電極１７は、基板１０２上に同様にストライプ状に形成された透明電極１２１に対して直交する方向に延び、透明電極１７と透明電極１２１との交差領域内に含まれる液晶表示パネル１４の構成部分が画素領域を構成するようになっている。
【００８３】
一方、基板１０２の内面上には透明電極１２１が形成され、対向する基板１０１上の透明電極１７と交差するように構成されている。なお、基板１０１上の透明電極１７上、及び、基板１０２上の透明電極１２１上には、配向膜などが必要に応じて形成される。
【００８４】
この液晶表示パネル１４においては、反射型表示がなされる場合には、金属反射膜が形成されている領域に入射した外光は、図１５に示す経路Ｒに沿って進行し、金属反射膜により反射されて観察者により視認される。一方、透過型表示がなされる場合には、バックライト１０９から出射した照明光が透過領域に入射し、経路Ｔに示すように進行し、観察者により視認される。
【００８５】
なお、上記の液晶表示パネルは、本発明の６色カラーフィルタを適用した単なる一例に過ぎず、本発明の６色カラーフィルタは他の各種の構成の液晶表示パネルに適用可能である。
【００８６】
［電子機器］
次に、本発明に係る液晶表示パネルを適用可能な電子機器の例について図１６を参照して説明する。
【００８７】
まず、本発明に係る液晶表示パネルを、可搬型のパーソナルコンピュータ（いわゆるノート型パソコン）の表示部に適用した例について説明する。図１６（ａ）は、このパーソナルコンピュータの構成を示す斜視図である。同図に示すように、パーソナルコンピュータ４１は、キーボード４１１を備えた本体部４１２と、本発明に係る液晶表示パネルを適用した表示部４１３とを備えている。
【００８８】
続いて、本発明に係る液晶表示パネルを、携帯電話機の表示部に適用した例について説明する。図１６（ｂ）は、この携帯電話機の構成を示す斜視図である。同図に示すように、携帯電話機４２は、複数の操作ボタン４２１のほか、受話口４２２、送話口４２３とともに、本発明に係る液晶表示パネルを適用した表示部４２４を備える。
【００８９】
なお、本発明に係る液晶表示パネルを適用可能な電子機器としては、図１６（ａ）に示したパーソナルコンピュータや図１６（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【００９０】
［変形例］
なお、上述の反射層及びカラーフィルタを有する基板及び液晶装置などは、上述の例にのみ限定されるものではなく、本発明の要旨を逸脱しない範囲内において種々の変更が可能であることは勿論である。
【００９１】
以上説明してきた実施形態においては液晶表示パネルを例示しているが、本発明の電気光学装置としては、電子ペーパなどの電気泳動装置、さらにはＥＬ（エレクトロルミネッセンス）装置などにも同様に適用することが可能である。
【図面の簡単な説明】
【００９２】
【図１】本発明のカラーフィルタの色再現範囲を示す色度図である。
【図２】各色カラーフィルタ領域の配列を示す。
【図３】各色カラーフィルタの分光特性を示す。
【図４】第１実施例に係る表示装置の構成を概略的に示す。
【図５】図４に示す色演算部における演算例を示す。
【図６】第２実施例に係る表示装置の変形例の構成を概略的に示す。
【図７】図６に示す色演算部における演算例を示す。
【図８】第３実施例に係る表示装置の構成を示すブロック図である。
【図９】第３実施例に係る色変換部の概略構成を示すブロック図である。
【図１０】第３実施例に係る色変換部の機能ブロック図である。
【図１１】第３実施例に係る色変換処理のフローチャートである。
【図１２】第３実施例に係るライン化処理に使用するマトリクスを示す。
【図１３】第３実施例に係るカラー画素レンダリング処理の一例を示す。
【図１４】第３実施例に係るカラー画素レンダリング処理の他の例を示す。
【図１５】本発明を適用した液晶表示パネルの構成を示す。
【図１６】本発明を適用した電子機器の例を示す。
【符号の説明】
【００９３】
１０、１０ａ  表示装置、  １２、１２ａ  色演算部、  １４  液晶表示パネル、
１６  ドライバ、  １８  液晶表示部、２０  ＲＧＢ信号、  ２２  ６色信号、
２４  ＹＭＣ信号
【図１】
2008181130.tif 000003
【図２】
2008181130.tif 000004
【図３】
2008181130.tif 000005
【図４】
2008181130.tif 000006
【図５】
2008181130.tif 000007
【図６】
2008181130.tif 000008
【図７】
2008181130.tif 000009
【図８】
2008181130.tif 000010
【図９】
2008181130.tif 000011
【図１０】
2008181130.tif 000012
【図１１】
2008181130.tif 000013
【図１２】
2008181130.tif 000014
【図１３】
2008181130.tif 000015
【図１４】
2008181130.tif 000016
【図１５】
2008181130.tif 000017
【図１６】
2008181130.tif 000018
【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
１画素を構成する領域が、赤フィルタ領域、緑フィルタ領域、青フィルタ領域、イエローフィルタ領域、マゼンタフィルタ領域及びシアンフィルタ領域を有するカラーフィルタを備える表示パネルと、
外部から入力されるＲＧＢ信号に基づいて、赤信号、緑信号、青信号、イエロー信号、マゼンタ信号及びシアン信号を含む６色信号を生成する色演算部と、
前記６色信号に基づいて、前記表示パネルの各色のフィルタ領域の表示を制御し、前記ＲＧＢ信号に対応する画像を前記表示パネル上に表示する制御部と、を備え、
前記色演算部は、
前記ＲＧＢ信号が白黒画像であるかカラー画像であるかを判定する判定部と、
前記ＲＧＢ信号が白黒画像と判定された場合に、前記ＲＧＢ信号から線分を検出し、検出された線分を示す６色信号を生成する白黒画像処理部と、
前記ＲＧＢ信号がカラー画像と判定された場合に、前記ＲＧＢ信号から前記カラー画像に対応する６色信号を生成するカラー画像処理部と、を備えることを特徴とするカラー画像表示装置。
【請求項２】
前記判定部は、
前記ＲＧＢ信号をＹＵＶ信号に変換する手段と、
前記ＹＵＶ信号のうちのＵ信号及びＶ信号が所定値未満のときに当該ＲＧＢ信号を白黒画像と判定し、前記Ｕ信号及びＶ信号が所定値以上であるときに当該ＲＧＢ信号をカラー画像と判定する手段と、を備えることを特徴とする請求項１に記載のカラー画像表示装置。
【請求項３】
前記白黒画像処理部は、線分検出マトリクスにより前記線分を検出することを特徴とする請求項１又は２に記載のカラー画像表示装置。
【請求項４】
前記カラー画像処理部は、前記ＲＧＢ信号を構成する所定数の画素に対する重み付け演算により、前記６色信号を生成することを特徴とする請求項１乃至３のいずれか一項に記載のカラー画像表示装置。
【請求項５】
前記カラー画像処理部は、前記所定数の画素に対してマトリクス演算を行うことにより前記６色信号を生成することを特徴とする請求項４に記載のカラー画像表示装置。
【請求項６】
請求項１乃至５のいずれか一項に記載のカラー画像表示装置を画像表示部として備えることを特徴とする電子機器。